(57)【要約】【課題】製造コストの増大を防ぐことができ、その上、サーバとの通信に関する情報をユーザに判り易く示すことができる洗濯機を提供する。【解決手段】洗濯機(１００)は、無線アクセスポイントに無線で通信接続され、上記無線アクセスポイントを介してサーバと通信する通信部と、洗濯物を処理する洗濯物処理部と、上記洗濯物処理部に洗濯物の処理の動作を指示するための操作部と、上記通信部と、上記無線アクセスポイントまたは上記サーバとの通信状態を表示する表示部と、制御装置と、を備え、上記制御装置は、上記通信部と上記サーバの間の通信に関する情報が上記表示部に表示されるように、上記表示部の表示を制御する表示制御部を有し、上記表示制御部は、上記通信部と上記無線アクセスポイントの間の通信に関するエラーおよび上記通信部と上記サーバの間の通信に関するエラーを報知する。【選択図】図１
2019048133.tif 000002
【特許請求の範囲】
【請求項１】
無線アクセスポイントに無線で通信接続され、上記無線アクセスポイントを介してサーバと通信する通信部と、
洗濯物を処理する洗濯物処理部と、
上記洗濯物処理部に洗濯物の処理の動作を指示するための操作部と、
上記通信部と、上記無線アクセスポイントまたは上記サーバとの通信状態を表示する表示部と、
制御装置と、を備え、
上記制御装置は、上記通信部と上記サーバの間の通信に関する情報が上記表示部に表示されるように、上記表示部の表示を制御する表示制御部を有し、
上記表示制御部は、上記通信部と上記無線アクセスポイントの間の通信に関するエラーおよび上記通信部と上記サーバの間の通信に関するエラーを報知することを特徴とする洗濯機。
【請求項２】
上記表示制御部は、上記通信部と上記無線アクセスポイントの間の通信が成功したことおよび上記サーバへのユーザ認証が成功したことを報知することを特徴とする請求項１に記載の洗濯機。
【請求項３】
上記操作部は、上記サーバに上記通信部を通信接続するための操作部を兼ねることを特徴とする請求項１または２に記載の洗濯機。
【請求項４】
上記表示部は、時間を表示可能なセグメントディスプレイを用いて形成されることを特徴とする請求項１から３のいずれか１項に記載の洗濯機。
【請求項５】
上記表示部は、洗濯物の処理に関する時間表示を兼ねることを特徴とする請求項１から４のいずれか１項に記載の洗濯機。
【請求項６】
上記表示部に、洗濯物を処理するための運転予約時刻または洗濯物を処理するための運転残り時間を表示することを特徴とする請求項５に記載の洗濯機。
【発明の詳細な説明】
【技術分野】
【０００１】
この発明は、洗濯物を出し入れを上面側から行う縦型洗濯機、洗濯物を出し入れを前面側から行う横型洗濯機などのあらゆるタイプの洗濯機に関する。
【背景技術】
【０００２】
近年、様々な家電機器が通信ネットワークに通信接続されることによって便利な生活を享受している。例えば、エアコンを通信ネットワーク経由で遠隔地からコントロールしたり、電子レンジでレシピをネットワーク経由でダウンロードしたり、冷蔵庫で食材管理したりすることができるようになっている。
【０００３】
そして、洗濯機も、エアコンなどと同様に、遠隔地から運転状況を携帯電話で把握できるものがある(例えば特開２０１３−１３２４６１号公報(特許文献１)参照)。
【先行技術文献】
【特許文献】
【０００４】
【特許文献１】特開２０１３−１３２４６１号公報
【発明の概要】
【発明が解決しようとする課題】
【０００５】
ところで、上記洗濯機がサーバと通信する通信部を備える場合、通信部がサーバに通信接続されているか否かなどの情報は、ユーザにとって有益な情報であるので、ユーザに報知される方がよい。
【０００６】
そこで、例えば、上記洗濯機の操作パネルにＬＥＤ(発光ダイオード)を設けて、通信部がサーバに通信接続されているか否かなどの情報をＬＥＤの点灯でユーザに報知しようとすると、問題が生じてしまう。
【０００７】
すなわち、上記通信部がサーバに通信接続されているか否かなどの情報をユーザに報知するには、ＬＥＤの数が多くなってしまうため、製造コストが増加するという問題が起きてしまう。
【０００８】
上記問題を回避する方法としては、ＬＥＤの数を増やさずに、ＬＥＤの点灯パターンを増やす方法が考えられる。
【０００９】
しかしながら、上記方法を採用した場合、通信部がサーバに通信接続されているか否かなどの情報は、ＬＥＤの点灯パターンに基づいて確認することになるが、この確認は困難である。
【００１０】
そこで、この発明の課題は、製造コストの増大を防ぐことができ、その上、サーバとの通信に関する情報をユーザに判り易く示すことができる洗濯機を提供することにある。
【課題を解決するための手段】
【００１１】
上記課題を解決するため、この発明の洗濯機は、無線アクセスポイントに無線で通信接続され、上記無線アクセスポイントを介してサーバと通信する通信部と、洗濯物を処理する洗濯物処理部と、上記洗濯物処理部に洗濯物の処理の動作を指示するための操作部と、上記通信部と、上記無線アクセスポイントまたは上記サーバとの通信状態を表示する表示部と、制御装置と、を備え、上記制御装置は、上記通信部と上記サーバの間の通信に関す
る情報が上記表示部に表示されるように、上記表示部の表示を制御する表示制御部を有し、上記表示制御部は、上記通信部と上記無線アクセスポイントの間の通信に関するエラーおよび上記通信部と上記サーバの間の通信に関するエラーを報知することを特徴とする。
【発明の効果】
【００１２】
この発明の洗濯機において、通信エラーが発生した際に、無線アクセスポイントとの間のエラーか、サーバとの間のエラーかをユーザに判り易く示すことができるといった特別な効果を奏します。
【図面の簡単な説明】
【００１３】
【図１】この発明の第１実施形態の洗濯機に関係する洗濯システムの概略構成図である。
【図２】上記洗濯機の電源オフ時の操作表示部の外観図である。
【図３】上記洗濯機の電源オン時の操作表示部の通常モードの外観図である。
【図４】上記洗濯機の通信接続の方法を説明するための図である。
【図５】上記洗濯機の通信接続の方法を説明するための図である。
【図６】上記洗濯機の通信接続の方法を説明するための図である。
【図７】上記洗濯機の通信接続の方法を説明するための図である。
【図８】上記洗濯機の通信接続の方法を説明するための図である。
【図９】上記洗濯機の通信接続の方法を説明するための図である。
【図１０】上記洗濯機の通信接続の方法を説明するための図である。
【図１１】上記洗濯機の通信状態を確認する方法を説明するための図である。
【発明を実施するための形態】
【００１４】
以下、この発明を図示の実施の形態により詳細に説明する。
【００１５】
〔第１実施形態〕
図１は、この発明の第１実施形態の洗濯機１００を備える洗濯システム１の概略構成図である。
【００１６】
上記洗濯システム１は、一般的に屋内に設置された洗濯機１００の他に、洗濯機１００と通信する屋外のサーバ２００と、このサーバ２００と通信する移動通信携帯端末３００とを備える。
【００１７】
上記洗濯機１００は、無線通信モジュール１１０と、操作表示部１２０と、スピーカ１３０と、洗濯物を処理する洗濯乾燥部１４０と、洗濯物を処理するための運転に関する設定情報などの各種情報を記憶するメモリ１５０とを備える。ここで、上記洗濯物を処理するための運転とは、洗濯運転、脱水運転、乾燥運転などのように、洗濯物の汚れや臭いを除去したり、洗濯物を乾かしたりするための運転などを指す。また、上記洗濯物を処理するための運転に関する設定情報としては、例えば、運転終了音を鳴らすか鳴らさないかの設定情報、すすぎを行うべき回数を示す設定情報などがある。なお、無線通信モジュール１１０は通信部の一例である。また、スピーカ１３０は報知部の一例である。また、洗濯乾燥部１４０は洗濯物処理部の一例である。
【００１８】
上記無線通信モジュール１１０は、無線アクセスポイント４００に無線で通信接続され、無線アクセスポイント４００を介してサーバ２００と通信する。より詳しくは、無線通信モジュール１１０は、例えばＷｉ-Ｆｉ(ワイファイ：ブランド名)の通信規格を用い、
無線アクセスポイント４００を介して、サーバ２００に情報を送信したり、サーバ２００から情報を受信したりする。また、サーバ２００と無線アクセスポイント４００の間の通信は、例えば電気通信網または光通通信網を介して行われる。
【００１９】
上記無線アクセスポイント４００は、ＷＰＳ(ワイファイ・プロテクテッド・セットア
ップ)機能に対応可能な機器であって、屋内に設置される。また、無線アクセスポイント
４００は、ＷＰＳ機能を利用するときに押すべきプッシュボタン４０１を有する。
【００２０】
上記操作表示部１２０は表示部１２１を備える。この表示部１２１は、時間を表示する時間表示部１２２(図２〜図４に示す)を有する。また、時間表示部１２２は、例えば、洗濯物を処理するための運転の予約時刻を表示したり、洗濯物を処理するための運転中に運転残り時間を表示したりする。より詳しくは、時間表示部１２２は、７セグメントディスプレイを用いて形成されており、４桁の数字を表示することが可能である。
【００２１】
上記スピーカ１３０は、例えば、洗濯物を処理するための運転が開始するとき、予め定められたメロディ音で報知する。また、スピーカ１３０は、無線通信モジュール１１０とサーバ２００の間の通信に関するエラーを音声で報知する。この音声の具体例としては、「通信エラーが発生しました」、「無線通信モジュールにエラーが発生しました」、「無線アクセスポイントへの接続が切断されました」、「サーバへの接続が切断されました」、「サーバがメンテナンス中です」、「サーバにトラブルが発生しました」、「この洗濯機は家電登録されていません」などがある。
【００２２】
上記洗濯乾燥部１４０は、図示しないが、周知の水槽、洗濯兼脱水槽、モータ、給水弁、排水弁、ヒートポンプユニット等を有し、洗濯、脱水および乾燥を行う。
【００２３】
上記メモリ１５０は、例えば、記憶した情報を書き換えることが可能であり、洗濯機１００の電源を切っても、記憶した情報が消えない不揮発性半導体メモリである。また、メモリ１５０には、ＷＰＳ機能を実現するためのプログラムなどの各種プログラムを予め記憶させている。
【００２４】
また、上記洗濯機１００は、無線通信モジュール１１０、操作表示部１２０、スピーカ１３０、洗濯乾燥部１４０などを制御する制御装置１６０を備える。この制御装置１６０は、例えば、マイクロコンピュータと入出力回路などからなり、無線通信モジュール１１０との間で情報を送受信する。
【００２５】
また、上記制御装置１６０は、ソフトウェアによって構成された表示制御部１６１を有する。この表示制御部１６１は、無線通信モジュール１１０とサーバ２００の間の通信に関する情報が時間表示部１２２に表示されるように、時間表示部１２２の表示を制御する。
【００２６】
上記サーバ２００は、洗濯機１００からの情報を受信して保存したり、移動通信携帯端末３００からの情報を受信して保存したりする。例えば、洗濯物を処理するための運転が行われているか否かを示す運転情報が、洗濯機１００からの情報としてサーバ２００に保存されている場合、移動通信携帯端末３００は、サーバ２００に通信接続することにより、サーバ２００から運転情報を取得して、この運転情報をユーザに伝えることができるようになっている。一方、例えば、洗濯物の処理に関する設定情報が、移動通信携帯端末３００からの情報としてサーバ２００に保存されている場合、洗濯機１００は、サーバ２００に通信接続して、サーバ２００から上記設定情報を取得して、この設定情報にしたがった処理を洗濯物に行うことができるようになっている。また、図示しないが、サーバ２００と無線アクセスポイント４００の間には、モデムおよびブロードバンドルータが設置されている。
【００２７】
上記移動通信携帯端末３００は、サーバ２００に情報を送信したり、サーバ２００から
情報を受信したりする。より詳しくは、移動通信携帯端末３００は、例えばスマートフォン(smartphone：多機能携帯電話)であり、サーバ２００との間で無線通信を行う。この移動通信携帯端末３００は携帯通信網を介してサーバ２００に通信接続される。
【００２８】
図２は上記洗濯機１００の電源オフ時の操作表示部１２０の外観図である。また、図３は上記洗濯機１００の電源オン時の操作表示部１２０の通常モードの外観図である。
【００２９】
上記操作表示部１２０には、図２に示すように、電源入りキー１７１、電源切りキー１７２、スタート一時停止キー１７３、ロック解除キー１７４、第１運転モードキー１７５、第２運転モードキー１７６、第３運転モードキー１７７、リフレッシュモードキー１７８、洗いキー１７９、すすぎキー１８０、脱水キー１８１、乾燥キー１８２、ふろ水キー１８３、予約キー１８４、音声キー１８５などが設けられている。この脱水キー１８１および乾燥キー１８２は、設定モードにおける設定変更キーの役割を兼ねており、無線通信モジュール１１０の電源のオンオフの操作部を兼ねる。すなわち、ユーザが所定の状態で脱水キー１８１および乾燥キー１８２を操作することにより、無線通信モジュール１１０の電源をオンまたはオフすることが可能である。
【００３０】
また、ユーザが電源入りキー１７１を押すと、洗濯機１００の電源が入り、図３に示すように、スタート一時停止キー１７３の周辺部や、第２運転モードキー１７６などが点灯する。そして、図示しないが、洗い運転などを予約するために予約キー１８４を押すと、予約キー１８４の上側の時計の図形が点灯する。このように、予約キー１８４の押下によって、洗濯物を処理するための運転を予約すると、洗濯機１００の操作表示部１２０は、大部分が消灯するが、電源は入ったままとなる。なお、電源入りキー１７１、電源切りキー１７２、スタート一時停止キー１７３、ロック解除キー１７４、第１運転モードキー１７５、第２運転モードキー１７６、第３運転モードキー１７７、リフレッシュモードキー１７８、洗いキー１７９、すすぎキー１８０、脱水キー１８１、乾燥キー１８２、ふろ水キー１８３および予約キー１８４は、操作部の一例である。
【００３１】
以下、図４〜図１０を用いて、サーバ２００に無線通信モジュール１１０を通信接続する方法について説明する。
【００３２】
まず、上記洗濯機１００の電源をオンにするとき、電源入りキー１７１とロック解除キー１７４を二重押しする。そうすると、図４に示すように、操作表示部１２０は特殊設定モードで起動する。このとき、スタート一時停止キー１７３の周辺部や、ロック解除キー１７４、リフレッシュモードキー１７８などが点灯する。
【００３３】
次に、ユーザがスタート一時停止キー１７３を押すと、図５に示すように、時間表示部１２２が「Ａ０」を表示する。ここで、「Ａ０」は、無線通信モジュール１１０の電源をオフにすることを意味する。
【００３４】
上記時間表示部１２２が「Ａ０」を表示している状態で、ユーザがスタート一時停止キー１７３を押す。そうすると、無線通信モジュール１１０の電源をオフにするための設定情報がメモリ１５０に保存されて、サーバ２００に無線通信モジュール１１０を通信接続するための操作は終了となる。
【００３５】
また、上記時間表示部１２２が「Ａ０」を表示している状態で、ユーザが「▲」を選択するために脱水キー１８１を押すと、時間表示部１２２が「Ａ１」を表示する。ここで、「Ａ１」は、無線通信モジュール１１０の電源をオンにすることを意味する。
【００３６】
なお、上記無線通信モジュール１１０の電源がオンになったが、制御装置１６０と無線
通信モジュール１１０の間の通信に関するエラーが発生しているとき、時間表示部１２２が「ＡＦ」を表示する。
【００３７】
上記時間表示部１２２が「Ａ１」を表示している状態で、ユーザが「▼」を選択するために乾燥キー１８２を押すと、時間表示部１２２の表示が「Ａ０」に戻る。
【００３８】
また、上記時間表示部１２２が「Ａ１」を表示している状態で、ユーザが「▲」を選択するために脱水キー１８１を押すと、図６に示すように、表示部１２１が初期化モードになり、時間表示部１２２が「Ａ２」を表示する。
【００３９】
上記時間表示部１２２が「Ａ２」を表示している状態で、ユーザがスタート一時停止キー１７３を押すと、時間表示部１２２で「ＡＣＬ」が点滅し、サーバ２００に無線通信モジュール１１０を通信接続するための設定(以下、「通信設定」と言う。)の初期化が開始される。ここで、「ＡＣＬ」は、通信設定の初期化中であることを意味する。
【００４０】
また、上記時間表示部１２２が「Ａ２」を表示している状態で、ユーザが「▼」を選択するために乾燥キー１８２を押すと、図５に示すように、時間表示部１２２の表示が「Ａ１」に戻る。
【００４１】
また、図６に示すように、上記時間表示部１２２が「Ａ２」を表示している状態で、ユーザが「▲」を選択するために脱水キー１８１を押すと、表示部１２１がアップデートモードになり、時間表示部１２２が「Ａ３」を表示する。
【００４２】
上記時間表示部１２２が「Ａ３」を表示している状態で、ユーザがスタート一時停止キー１７３を押すと、時間表示部１２２で「ＡＵＰ」が点滅し、洗濯機１００のファームウェアのアップデートが開始される。これにより、洗濯機１００は、サーバ２００から最新のファームウェアをダウーロードしてメモリ１５０に保存できるようになっている。ここで、「ＡＵＰ」は、洗濯機１００のファームウェアのアップデート中であることを意味すする。
【００４３】
また、上記洗濯機１００のファームウェアのアップデート中、表示部１２１の時間表示部１２２以外の部分には「ＬＡＮ」が表示される。ここで、「ＬＡＮ」は、無線通信モジュール１１０がサーバ２００まで通信接続が成功していることを意味する。なお、「ＬＡＮ」の表示の意味は、他の場合もここでの場合と同じである。
【００４４】
また、上記時間表示部１２２が「Ａ３」を表示している状態で、ユーザがスタート一時停止キー１７３を押しても、サーバ２００に無線通信モジュール１１０が無線アクセスポイント４００を経由して通信接続することができない場合がある。この場合、スピーカ１３０が「サーバに接続できないため、ファームウェアのアップデートはできません」という音声を出力する。
【００４５】
上記通信設定の初期化、または、洗濯機１００のファームウェアのアップデートが完了すると、図５に示すように、時間表示部１２２の表示が自動的に「Ａ１」に戻る。
【００４６】
また、上記時間表示部１２２が「Ａ１」を表示している状態で、ユーザがスタート一時停止キー１７３を押すと、図７に示すように、制御装置１６０による判定が行われる。より詳しくは、制御装置１６０は、無線アクセスポイント４００に無線通信モジュール１１０を無線で通信接続するための設定が済んでいるか否かが判定される。
【００４７】
上記制御装置１６０が、無線アクセスポイント４００に無線通信モジュール１１０を無
線で通信接続するための設定が済んでいないと判定すると、時間表示部１２２が「ｂＦ」を表示すると共に、スピーカ１３０が「無線アクセスポイントが未設定です」という音声を出力する。ここで、「ｂＦ」は、無線アクセスポイント４００に無線通信モジュール１１０を無線で通信接続するための設定が行われていないことを意味する。
【００４８】
上記時間表示部１２２が「ｂＦ」を表示している状態で、ユーザがロック解除キー１７４を押すと、ＷＰＳ機能を実現するためのプログラムが起動して、時間表示部１２２で「ｂＰ」が点滅すると共に、スピーカ１３０が「無線アクセスポイントのプッシュボタンを押して下さい」という音声を出力する。ここで、「ｂＰ」は、無線アクセスポイント４００に無線通信モジュール１１０を無線で通信接続するための設定中であることを意味する。
【００４９】
上記ＷＰＳのプログラムにより、無線アクセスポイント４００に無線通信モジュール１１０を無線で通信接続するための設定が済むと、制御装置１６０の判定が再び行われる。
【００５０】
一方、上記制御装置１６０が、無線アクセスポイント４００に無線通信モジュール１１０を無線で通信接続するための設定が済んでいると判定すると、図８に示すように、時間表示部１２２が、「ｂ０」、「ｂ１」、「ｂ２」および「ｂ３」のうちのいずれか１つを表示する。ここで、「ｂ０」は、無線アクセスポイント４００に無線通信モジュール１１０を無線で通信接続するための設定は済んでいるが、無線通信モジュール１１０が無線アクセスポイント４００との間で通信できないことを意味する。また、「ｂ１」は、無線アクセスポイント４００に無線通信モジュール１１０を無線で通信接続することはできているが、無線通信モジュール１１０の電波の受信強度が弱いことを意味する。また、「ｂ２」は、無線アクセスポイント４００に無線通信モジュール１１０を無線で通信接続することができおり、無線通信モジュール１１０の電波の受信強度が普通であることを意味する。また、「ｂ３」は、無線アクセスポイント４００に無線通信モジュール１１０を無線で通信接続することができており、無線通信モジュール１１０の電波の受信強度が強いことを意味する。すなわち、無線通信モジュール１１０の電波の受信強度は、「ｂ１」、「ｂ２」、「ｂ３」の順で強くなる。
【００５１】
上記時間表示部１２２が、「ｂ０」、「ｂ１」、「ｂ２」および「ｂ３」のうちのいずれか１つを表示している状態で、ユーザがロック解除キー１７４を押すと、図９に示すように、表示部１２１がクラウドモードになり、時間表示部１２２が「Ｃ０」を表示する。このとき、表示部１２１の時間表示部１２２以外の部分には「ＬＡＮ」が表示される。ここで、「Ｃ０」は、表示部１２１がクラウドモードになっていることを意味する。また、上記クラウドモードとは、サーバ２００に無線通信モジュール１１０を通信接続するモードである。
【００５２】
上記時間表示部１２２が「Ｃ０」を表示している状態で、ユーザがスタート一時停止キー１７３を押すと、今までの設定情報がメモリ１５０に保存されて、サーバ２００に無線通信モジュール１１０を通信接続するための操作は終了となる。このとき、メモリ１５０は、無線通信モジュール１１０の電源をオンにするための設定情報と、無線アクセスポイント４００に無線通信モジュール１１０を無線で通信接続するための設定情報と、上記操作の終了直前の通信モードはクラウドモードであったことを示す通信モード情報とを保存する。
【００５３】
また、上記時間表示部１２２が「Ｃ０」を表示している状態で、ユーザが「▲」を選択するために脱水キー１８１を押すと、表示部１２１がエコネットモードになり、時間表示部１２２が「Ｃ１」を表示する。このとき、表示部１２１の時間表示部１２２以外の部分には「ＬＡＮ」が表示される。ここで、「Ｃ１」は、表示部１２１がエコネットモードに
なっていることを意味する。また、エコネットモードとは、エコーネットコンソーシアムが策定した通信プロトコル(Echonet Lite規格)を満たすモードで、屋内のネットワークに接続された他の機器と通信するモードである。
【００５４】
上記時間表示部１２２が「Ｃ１」を表示している状態で、ユーザがスタート一時停止キー１７３を押すと、今までの設定情報がメモリ１５０に保存されて、サーバ２００に無線通信モジュール１１０を通信接続するための操作は終了となる。このとき、メモリ１５０は、無線通信モジュール１１０の電源をオンにするための設定情報と、無線アクセスポイント４００に無線通信モジュール１１０を無線で通信接続するための設定情報と、上記操作の終了直前の通信モードはエコネットモードであったことを示す通信モード情報とを保存する。
【００５５】
上記時間表示部１２２が「Ｃ１」を表示している状態で、ユーザが「▼」を選択するために乾燥キー１８２を押すと、表示部１２１がクラウドモードに戻り、時間表示部１２２の表示も「Ｃ０」に戻る。
【００５６】
また、上記時間表示部１２２が「Ｃ０」を表示している状態で、ユーザがロック解除キー１７４を押すと、図１０に示すように、サーバ２００と洗濯機１００のペアリングが開始し、時間表示部１２２で「ＣＰ」が点滅する。このとき、表示部１２１の時間表示部１２２以外の部分には「ＬＡＮ」が表示される。ここで、「ＣＰ」は、サーバ２００へのユーザ認証を行っている最中であることを意味する。
【００５７】
上記サーバ２００へのユーザ認証が成功すると、時間表示部１２２が「ＣＣ」を表示する。このとき、表示部１２１の時間表示部１２２以外の部分には「ＬＡＮ」が表示される。ここで、「ＣＣ」は、サーバ２００へのユーザ認証が成功したことを意味する。
【００５８】
上記時間表示部１２２が「ＣＣ」を表示している状態で、ユーザがスタート一時停止キー１７３を押すと、今までの設定情報がメモリ１５０に保存されて、サーバ２００に無線通信モジュール１１０を通信接続するための操作は終了となる。このとき、メモリ１５０は、無線通信モジュール１１０の電源をオンにするための設定情報と、無線アクセスポイント４００に無線通信モジュール１１０を通信接続するための設定情報と、上記操作の終了直前の通信モードはクラウドモードであったことを示す通信モード情報とを保存する。
【００５９】
また、上記時間表示部１２２が「ＣＣ」を表示している状態で、ユーザがロック解除キー１７４を押すと、サーバ２００と洗濯機１００のペアリングのリトライが開始し、時間表示部１２２で「ＣＰ」が点滅する。
【００６０】
一方、上記サーバ２００へのユーザ認証が失敗すると、時間表示部１２２が「ＣＦ」を表示する。ここで、「ＣＦ」は、サーバ２００へのユーザ認証が失敗したことを意味する。
【００６１】
上記時間表示部１２２が「ＣＦ」を表示している状態で、ユーザがスタート一時停止キー１７３を押すと、今までの設定情報がメモリ１５０に保存されて、サーバ２００に無線通信モジュール１１０を通信接続するための操作は終了となる。このとき、メモリ１５０は、無線通信モジュール１１０の電源をオンにするための設定情報と、無線アクセスポイント４００に無線通信モジュール１１０を通信接続するための設定情報と、上記操作の終了直前の通信モードはクラウドモードであったことを示す通信モード情報とを保存する。
【００６２】
また、上記時間表示部１２２が「ＣＦ」を表示している状態で、ユーザがロック解除キー１７４を押すと、サーバ２００と洗濯機１００のペアリングのリトライが開始し、表示
部１２１が「ＣＰ」および「ＬＡＮ」を表示する。このときも、表示部１２１では「ＣＰ」だけが点滅する。
【００６３】
また、上記操作表示部１２０が図４の状態になっているとき、ユーザがリフレッシュモードキー１７８を押すと、図１１に示すように、時間表示部１２２が、「−−−−」、「ＡＦ」、「ｂＦ」、「Ｃ０」、「Ｃ１」、「ＣＦ」、「ＬＡＮ」のうちの少なくとも１つを表示する。ここで、「−−−−」は、無線通信モジュール１１０が起動中あるいは通信設定中であることを意味する。また、「ＡＦ」、「ｂＦ」、「Ｃ０」、「Ｃ１」および「ＣＦ」の意味は、上述した意味と同じである。
【００６４】
このように、上記時間表示部１２２が無線通信モジュール１１０とサーバ２００の間の通信に関する情報を表示するので、無線通信モジュール１１０とサーバ２００の間の通信に関する情報を表示する表示部を表示部１２１とは別に設けずに済む。したがって、製造コストの増加を防ぐことができる。
【００６５】
また、上記時間表示部１２２は、無線通信モジュール１１０とサーバ２００の間の通信に関する情報を、数字およびアルファベットでユーザに示すので、ＬＥＤの発光パターンでユーザに示すよりも、無線通信モジュール１１０とサーバ２００の間の通信に関する情報をユーザに判り易く示すことができる。
【００６６】
また、上記電源入りキー１７１、スタート一時停止キー１７３、ロック解除キー１７４、脱水キー１８１および乾燥キー１８２が、サーバ２００に無線通信モジュール１１０を通信接続するための操作部を兼ねるので、例えばパソコンなどの他の機器を使わなくても、電源入りキー１７１などの操作でサーバ２００への通信接続を行うことができる。
【００６７】
また、上記電源入りキー１７１、スタート一時停止キー１７３、ロック解除キー１７４、脱水キー１８１および乾燥キー１８２が、サーバ２００に無線通信モジュール１１０を通信接続するための操作部を兼ねるので、キーの数が増加するのを防ぐことができる。
【００６８】
また、上記時間表示部１２２は、「Ａ０」および「Ａ１」を表示するので、ユーザは、無線通信モジュール１１０の電源のオンオフに関する情報を確実に確認することができる。
【００６９】
また、上記時間表示部１２２は、「ｂＦ」および「ｂＰ」を表示するので、ユーザは、無線アクセスポイント４００に無線通信モジュール１１０を無線で通信接続するための情報を確実に確認することができる。
【００７０】
また、上記時間表示部１２２は、「ｂ０」、「ｂ１」、「ｂ２」および「ｂ３」を表示するので、ユーザは、無線通信モジュール１１０の通信接続の状態に関する情報を確実に確認することができる。
【００７１】
また、上記時間表示部１２２は、「ＣＰ」、「ＣＣ」および「ＣＦ」を表示するので、サーバ２００へのユーザ認証を確実に確認することができる。
【００７２】
また、上記スピーカ１３０が無線通信モジュール１１０とサーバ２００との通信に関するエラーを報知するので、このエラーの発生が判り易くなる。
【００７３】
また、上記スピーカ１３０は、無線通信モジュール１１０とサーバ２００の間の通信に関するエラーを音声で報知するので、そのエラーの発生が非常に判り易くなる。
【００７４】
また、上記時間表示部１２２は、時間を表示可能な７セグメントディスプレイを用いて形成されるので、製造コストの増加を抑制することができる。
【００７５】
上記第１実施形態では、洗濯機１００は、洗濯物を乾燥させる機能を有していたが、洗濯物を乾燥させる機能を有さないようにしてもよく、ドラム式洗濯機またはいわゆる縦型洗濯機であってもよい。
【００７６】
上記第１実施形態では、不揮発性半導体メモリであるメモリ１５０を用いていたが、メモリ１５０の換わりに、例えばハードディスクドライブまたは揮発性半導体メモリ(例え
ば、ＤＥＲＡＭ（Dynamic Random Access Memory）、ＳＲＡＭ（Static Random Access Memory）など)を用いてもよい。
【００７７】
上記第１実施形態では、表示制御部１６１は、ソフトウェアによって構成されていたが、ハードウェアによって構成されるようにしてもよい。
【００７８】
上記第１実施形態では、サーバ２００に携帯電話通信網を介して移動通信携帯端末３００を通信接続していたが、サーバ２００に無線アクセスポイント４００を介して移動通信携帯端末３００を通信接続してもよい。
【００７９】
上記第１実施形態では、無線アクセスポイント４００は、屋内に設置されていたが、屋外に設置されてもよい。
【００８０】
上記第１実施形態において、無線アクセスポイント４００への接続待ちが続いているとき、無線アクセスポイント４００への接続待ち中であることを、スピーカ１３０が音声で報知してもよい。
【００８１】
上記第１実施形態において、サーバ２００への接続待ちが続いているとき、無線アクセスポイント４００への接続待ち中であることを、スピーカ１３０が音声で報知してもよい。
【００８２】
上記第１実施形態において、スピーカ１３０は、無線通信モジュール１１０とサーバ２００の間の通信に関する設定を音声で報知してもよい。
【００８３】
上記第１実施形態では、時間表示部１２２は、７セグメントディスプレイで形成されていたが、７セグメントディスプレイ以外のセグメントディプレイを用いて形成されてもよい。
【００８４】
上記第１実施形態において、スマートファンである移動通信携帯端末３００の換わりに、タブレット端末である移動通信携帯端末を用いてもよい。この移動通信携帯端末は、携帯通信網と無線アクセスポイント４００のうちの少なくとも一方に通信接続が可能である。
【００８５】
上記第１実施形態において、移動通信携帯端末３００の換わりに、サーバ２００への通信接続が可能なデスクトップパソコンを用いてもよい。
【００８６】
〔第２実施形態〕
この発明の第２実施形態の洗濯機は、無線通信モジュール１１０の換わりに、通信部の一例としての有線通信モジュールを備えた点だけが、上記第１実施形態と異なる。
【００８７】
〔第３実施形態〕
この発明の第３実施形態の洗濯機は、洗濯物を処理するための運転が終了する度に、無線通信モジュール１１０の電源が自動的にオフされるようになっている点だけが、上記第１実施形態と異なる。
【００８８】
上記第３実施形態の洗濯機では、無線通信モジュール１１０の電源が自動的にオフされた後、洗濯機１００の電源がオフされて、再び、洗濯機１００の電源がオンされた場合、無線通信モジュール１１０の電源が自動的にオンされるようにしてもよい。
【００８９】
また、上記無線通信モジュール１１０の電源が自動的にオンされるようにした場合、無線通信モジュール１１０がサーバ２００に自動的に通信接続されるようにし、その通信接続の成否をスピーカ１３０が報知するようにしてもよい。
【００９０】
また、上記スピーカ１３０の報知は、少なくとも１回行われればよく、洗濯物を処理するための運転を設定している最中であっても、その運転が行われている最中であっても行われるようにしてもよい。
【００９１】
この発明の具体的な実施形態について説明したが、この発明は上記第１〜第３実施形態に限定されるものではなく、この発明の範囲内で種々変更して実施することができる。例えば、第１〜第３実施形態を適宜組み合わせたものを、この発明の一実施形態としてもよい。
【００９２】
すなわち、この発明および実施形態を纏めると、次のようになる。
【００９３】
この発明の洗濯機１００は、
サーバ２００と通信する通信部１１０と、
洗濯物を処理する洗濯物処理部１４０と、
上記洗濯物処理部１４０に洗濯物の処理の動作を指示するための操作部１７１,１７２,１７３,１７４,１７５,１７６,１７７,１７８,１７９,１８０,１８１,１８２,１８３,１
８４と、
時間を表示する時間表示部１２２と、
制御装置１６０と
を備え、
上記制御装置１６０は、上記通信部１１０と上記サーバ２００の間の通信に関する情報が上記時間表示部１２２に表示されるように、上記時間表示部１２２の表示を制御する表示制御部１６１を有することを特徴としている。
【００９４】
上記構成によれば、上記表示制御部１６１が、通信部１１０とサーバ２００の間の通信に関する情報が時間表示部１２２に表示されるように、時間表示部１２２の表示を制御するので、通信部１１０とサーバ２００の間の通信に関する情報を表示する表示部として時間表示部１２２を利用できる。したがって、上記通信部１１０と上記サーバ２００の間の通信に関する情報を表示する表示部を追加しなくて済むので、製造コストの増加を防ぐことができる。
【００９５】
また、上記時間表示部１２２は、時間を表示するものなので、通信部１１０とサーバ２００の間の通信に関する情報を例えば数字およびアルファベットのうちの少なくとも一方で示すことができる。したがって、上記通信部１１０と上記サーバ２００の間の通信に関する情報は、ＬＥＤの発光パターンでユーザに示すよりも、時間表示部１２２の表示でユーザに示す方が、ユーザにとって判り易い。すなわち、上記通信部１１０と上記サーバ２００の間の通信に関する情報は時間表示部１２２の表示でユーザに判り易く示すことができる。
【００９６】
一実施形態の洗濯機１００は、
上記操作部１７１,１７３,１７４,１８１,１８２は、上記サーバ２００に上記通信部１１０を通信接続するための操作部を兼ねる。
【００９７】
上記実施形態によれば、上記操作部１７１,１７３,１７４,１８１,１８２は、サーバ２００に通信部１１０を通信接続するための操作部を兼ねるので、例えばパソコンなどの他の機器を使わなくても、操作部１７１,１７３,１７４,１８１,１８２の操作でサーバ２００への通信接続を行うことができる。
【００９８】
また、上記操作部１７１,１７３,１７４,１８１,１８２は、サーバ２００に通信部１１０を通信接続するための操作部を兼ねるので、操作部１７１,１７３,１７４,１８１,１８２の数が増加するのを防ぐことができる。
【００９９】
一実施形態の洗濯機１００では、上記通信部１１０は、ユーザが上記操作部１８１,１
８２を操作することにより、電源をオンまたはオフすることが可能であり、上記通信部１１０と上記サーバ２００の間の通信に関する情報は、上記通信部１１０の電源のオンオフに関する情報を含む。
【０１００】
上記実施形態によれば、上記通信部１１０と上記サーバ２００の間の通信に関する情報は、通信部１１０の電源のオンオフに関する情報を含むので、この情報を確実に確認することができる。
【０１０１】
一実施形態の洗濯機１００では、上記通信部１１０は、無線アクセポイントを介して上記サーバ２００と通信し、上記通信部１１０と上記サーバ２００の間の通信に関する情報は、上記無線アクセスポイント４００に上記通信部１１０を無線で通信接続するための情報を含む。
【０１０２】
上記実施形態によれば、上記通信部１１０と上記サーバ２００の間の通信に関する情報は、無線アクセスポイント４００に通信部１１０を無線で通信接続するための情報を含むので、この情報を確実に確認することができる。
【０１０３】
一実施形態の洗濯機１００では、上記通信部１１０と上記サーバ２００の間の通信に関する情報は、上記サーバ２００へのユーザ認証に関する情報を含む。
【０１０４】
上記実施形態によれば、上記通信部１１０と上記サーバ２００の間の通信に関する情報は、サーバ２００へのユーザ認証に関する情報を含むので、この情報を確実に確認することができる。
【０１０５】
一実施形態の洗濯機１００は、上記通信部１１０と上記サーバ２００の間の通信に関するエラーを報知する報知部１３０を備える。
【０１０６】
上記実施形態によれば、上記報知部１３０が通信部１１０とサーバ２００の間の通信に関するエラーを報知するので、このエラーの発生が判り易くなる。
【０１０７】
一実施形態の洗濯機１００では、上記報知部１３０は、上記通信部１１０と上記サーバ２００の間の通信に関するエラーを音声で報知する。
【０１０８】
上記実施形態によれば、上記通信部１１０とサーバ２００の間の通信に関するエラーが音声で報知されるので、そのエラーの発生がより判り易くなる。
【０１０９】
一実施形態の洗濯機１００では、上記時間表示部１２２は、時間を表示可能なセグメントディスプレイを用いて形成される。
【０１１０】
上記実施形態によれば、時間表示部１２２は、時間を表示可能なセグメントディスプレイを用いて形成されるので、製造コストの増加を抑制することができる。
【０１１１】
〔付記事項〕
本発明の一態様に係る発明の洗濯機は、サーバと通信する通信部と、洗濯物を処理する洗濯物処理部と、上記洗濯物処理部に洗濯物の処理の動作を指示するための操作部と、時間を表示する時間表示部と、制御装置と、を備え、上記制御装置は、上記通信部と上記サーバの間の通信に関する情報が上記時間表示部に表示されるように、上記時間表示部の表示を制御する表示制御部を有することを特徴としている。
【０１１２】
一実施形態の洗濯機では、上記操作部は、上記サーバに上記通信部を通信接続するための操作部を兼ねる。
【０１１３】
一実施形態の洗濯機では、上記通信部は、ユーザが上記操作部を操作することにより、電源をオンまたはオフすることが可能であり、上記通信部と上記サーバの間の通信に関する情報は、上記通信部の電源のオンオフに関する情報を含む。
【０１１４】
一実施形態の洗濯機では、上記通信部は、無線アクセポイントを介して上記サーバと通信し、上記通信部と上記サーバの間の通信に関する情報は、上記無線アクセスポイントに上記通信部を無線で通信接続するための情報を含む。
【０１１５】
一実施形態の洗濯機では、上記通信部と上記サーバの間の通信に関する情報は、上記サーバへのユーザ認証に関する情報を含む。
【０１１６】
一実施形態の洗濯機は、上記通信部と上記サーバの間の通信に関するエラーを報知する報知部を備える。
【０１１７】
一実施形態の洗濯機では、上記報知部は、上記通信部と上記サーバの間の通信に関するエラーを音声で報知する。
【０１１８】
一実施形態の洗濯機では、上記時間表示部は、時間を表示可能なセグメントディスプレイを用いて形成される。
【０１１９】
この発明の洗濯機において、通信部と、洗濯物を処理する洗濯物処理部と、時間を表示する表示部と、表示制御部を有する制御装置とを備える。この表示制御部は、通信部とサーバの通信に関する情報が時間表示部に表示されるように、時間表示部の表示を制御するので、その情報を表示する表示部を時間表示部とは別に設けなくてよい。したがって、製造コストの増加を防ぐことができる。
【０１２０】
また、上記時間表示部は、通信部とサーバの間の通信に関する情報を、例えば数字およびアルファベットのうちの少なくとも一方を使って、ユーザに判り易く示すことができる。
【符号の説明】
【０１２１】
１  洗濯システム
１００  洗濯機
１１０  無線通信モジュール
１２０  操作表示部
１２１  表示部
１２２  時間表示部
１３０  スピーカ
１４０  洗濯乾燥部
１６０  制御装置
２００  サーバ
３００  移動通信携帯端末
４００  無線アクセスポイント
【図１】
2019048133.tif 000003
【図２】
2019048133.tif 000004
【図３】
2019048133.tif 000005
【図４】
2019048133.tif 000006
【図５】
2019048133.tif 000007
【図６】
2019048133.tif 000008
【図７】
2019048133.tif 000009
【図８】
2019048133.tif 000010
【図９】
2019048133.tif 000011
【図１０】
2019048133.tif 000012
【図１１】
2019048133.tif 000013
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
無線アクセスポイントに無線で通信接続され、上記無線アクセスポイントを介してサーバと通信する通信部と、
洗濯物を処理する洗濯物処理部と、
上記洗濯物処理部に洗濯物の処理の動作を指示するための操作部と、
洗濯物の処理に関する時間、上記通信部と上記無線アクセスポイントとの通信状態、および上記通信部と上記サーバとの通信状態を表示する時間表示部と、
制御装置と、を備え、
上記制御装置は、上記通信部と上記サーバの間の通信に関する情報が上記時間表示部に表示されるように、上記時間表示部の表示を制御する表示制御部を有し、
上記表示制御部は、上記通信部と上記無線アクセスポイントの間の通信に関するエラーと上記通信部と上記サーバの間の通信に関するエラーを区別して上記時間表示部に報知することを特徴とする洗濯機。
【請求項２】
上記表示制御部は、上記通信部と上記無線アクセスポイントの間の通信が成功したことおよび上記サーバへのユーザ認証が成功したことを上記時間表示部に報知することを特徴とする請求項１に記載の洗濯機。
【請求項３】
上記操作部は、上記サーバに上記通信部を通信接続するための操作部を兼ねることを特徴とする請求項１または２に記載の洗濯機。
【請求項４】
上記時間表示部は、時間を表示可能なセグメントディスプレイを用いて形成されることを特徴とする請求項１から３のいずれか１項に記載の洗濯機。
【請求項５】
上記時間表示部に、洗濯物を処理するための運転予約時刻または洗濯物を処理するための運転残り時間を表示することを特徴とする請求項１から４のいずれか１項に記載の洗濯機。